(57)【要約】【課題】  多室暖房機能を備えた浴室暖房装置において、浴室以外の他室の乾燥運転を乾燥機能を低下させる事なく浴室とは独立して行えるものを実現する。【解決手段】  換気ユニット２のケーシング２０内に仕切壁２２を設けて換気ファン２１を収納した換気ファン収納空間Ａ１と区画し、且つ脱衣室ＤＲと連通する脱衣室連通空間Ａ２を設ける。脱衣室連通空間Ａ２内に脱衣室ＤＲ内の空気を循環させるための脱衣室用循環ファン２４及び該空気を加熱するための脱衣室用熱交換器２３を収納する。仕切壁２２に換気ファン収納空間Ａ１と脱衣室連通空間Ａ２とを連通させる換気用連通口２７を設けると共に、この換気用連通口２７を開閉させる脱衣室用ダンパ２８を設ける。制御盤８によって脱衣室乾燥を行う場合は脱衣室用ダンパ２８を開閉させる間欠動作制御を行う。従って脱衣室ＤＲに十分な温風が吹き込まれる一方、脱衣室ＤＲの湿気が十分に排気され、乾燥機能が向上する。【選択図】  図２
2005090905.tif 000002
【特許請求の範囲】
【請求項１】
ケーシング内に浴室内の空気を循環させるための浴室用循環ファンおよび該空気を加熱するための浴室用熱交換器を収納する暖房ユニットと、
浴室や浴室以外の他室と連通可能とするケーシング内に浴室や他室の空気を外部に排気させるための換気ファンを収納する換気ユニットと、
上記暖房ユニットおよび上記換気ユニットの動作制御を行う制御手段とを備え、
上記換気ユニットのケーシング内に仕切壁を設けて上記換気ファンを収納した換気ファン収納空間と区画し、且つ他室と連通する他室連通空間を設け、
上記他室連通空間内に他室内の空気を循環させるための他室用循環ファンおよび該空気を加熱するための他室用熱交換器を収納し、
上記仕切壁に換気ファン収納空間と他室連通空間とを連通させる換気用連通口を設けると共に、この換気用連通口を開閉させる開閉機構を設け、
上記制御手段は、他室乾燥を行う場合は、開閉機構の開閉を間欠動作させる制御構成としたことを特徴とする浴室暖房装置。
【請求項２】
請求項１に記載の浴室暖房装置において、
上記開閉機構を開状態とする開時間は、上記開閉機構を閉状態とする閉時間よりも短く設定したことを特徴とする浴室暖房装置。
【請求項３】
請求項１または２に記載の浴室暖房装置において、
上記開閉機構を開状態とする開時間を、浴室の換気運転や乾燥運転が行われているとき、または上記他室以外の他室の換気運転が行われているときは、これらの運転が行われていないときよりも長く設定したことを特徴とする浴室暖房装置。
【請求項４】
請求項１ないし３のいずれかに記載の浴室暖房装置において、
他室乾燥を行う場合、上記開閉機構が閉状態のときは他室用循環ファンの回転数を他室暖房運転時と同様にし、上記開閉機構の開状態のときは他室用循環ファンの回転数を他室暖房時よりも高くしたことを特徴とする浴室暖房装置。
【請求項５】
ケーシング内に浴室内の空気を循環させるための浴室用循環ファンおよび該空気を加熱するための浴室用熱交換器を収納する暖房ユニットと、
浴室や浴室以外の他室と連通可能とするケーシング内に浴室や他室の空気を外部に排気させるための換気ファンを収納する換気ユニットと、
上記暖房ユニットおよび上記換気ユニットの動作制御を行う制御手段とを備え、
上記換気ユニットのケーシング内に仕切壁を設けて上記換気ファンを収納した換気ファン収納空間と区画し、且つ他室と連通する他室連通空間を設け、
上記他室連通空間内に他室内の空気を循環させるための他室用循環ファンおよび該空気を加熱するための他室用熱交換器を収納し、
上記仕切壁に換気ファン収納空間と他室連通空間とを連通させる換気用連通口を設けると共に、この換気用連通口を開閉させる開閉機構を設け、
上記制御手段は、他室乾燥を行う場合は、開閉機構を開状態としその開度を一定に保持させる制御構成としたことを特徴とする浴室暖房装置。
【請求項６】
請求項５に記載の浴室暖房装置において、
上記開閉機構を開状態とする開度を、浴室の換気運転や乾燥運転が行われているとき、または上記他室以外の他室の換気運転が行われているときは、これらの運転が行われていないときよりも大きく設定したことを特徴とする浴室暖房装置。
【請求項７】
請求項１，２，３，５，６のいずれかに記載の浴室暖房装置において、
他室乾燥を行う場合は、他室用循環ファンの回転数を他室暖房運転時よりも高くしたことを特徴とする浴室暖房装置。
【発明の詳細な説明】
【技術分野】
【０００１】
本発明は、浴室と浴室以外の他室とを独立して暖房運転が行える多室暖房機能付きの浴室暖房装置に関するものである。
【背景技術】
【０００２】
従来より、浴室と脱衣室とをそれぞれ独立して暖房運転が行えるいわゆる２室暖房機能付きの浴室暖房装置が知られている（特許文献１、特許文献２、特許文献３）。
例えば、この浴室暖房装置としては、図５に示すように、浴室Ａと連通する浴室循環通路Ｌ１を形成し、この浴室循環通路Ｌ１内に浴室用熱交換器５０４と浴室用循環ファン５０１とを設け、また、排気ダクト５１１を通じて外部と連通すると共に上記浴室循環通路Ｌ１と連通する換気用通路Ｒを形成し、この換気用通路Ｒ内に換気ファン５１２を設けている。さらに、この浴室暖房装置は、脱衣室Ｂの暖房をも行えるようにするため、上記換気用通路Ｒに隣接し脱衣室Ｂと連通する脱衣室循環通路Ｌ２を形成し、この脱衣室循環通路Ｌ２内に脱衣室用熱交換器５１０と脱衣室用循環ファン５０５とを設けている。また、上記脱衣室循環通路Ｌ２には、脱衣室Ｂの換気を行えるようにするため、上記換気用通路Ｒと連通した連通口５１６が形成され、この連通口５１６には、上記換気ファン５１２の作動に伴う通風力（負圧）により開放されると共に上記換気ファン５１２が作動停止すると遮断されるシャッター部材５１３が設けられている。
【０００３】
そして、上記浴室暖房装置により、浴室Ａの暖房を行う場合は、浴室用熱交換器５０４に温水を供給すると共に浴室用循環ファン５０１を作動させ、浴室循環通路Ｌ１を通じて浴室Ａ内に温風を循環通風させる。また、浴室Ａの乾燥を行う場合は、上記暖房運転を行いながら換気ファン５１２を作動させ、浴室循環通路Ｌ１を通じて浴室Ａ内に温風を循環通風させつつ、浴室Ａ内の湿気を浴室循環通路Ｌ１から換気用通路Ｒに吸込ませて排気ダクト５１１から外部に排気させる。このようにして、浴室Ａの暖房と換気とを同時に行うことで、浴室Ａの乾燥が行われる。
【０００４】
一方、脱衣室Ｂの暖房を行う場合は、脱衣室用熱交換器５１０に温水を供給すると共に脱衣室用循環ファン５０５を作動させ、脱衣室循環通路Ｌ２を通じて脱衣室Ｂ内に温風を循環通風させる。また、脱衣室Ｂの乾燥を行う場合は、上記脱衣室Ｂの暖房運転を行いながら換気ファン５１２を作動させる（特許文献１、段落６０番）。すると、脱衣室循環通路Ｌ２を通じて脱衣室Ｂに温風が循環通風される。また、上記換気ファン５１２の作動による通風力（負圧）により上記シャッター部材５１３が開放され、脱衣室Ｂ内の湿気が脱衣室循環通路Ｌ２から連通口５１６を通過して換気用通路Ｒにも吸込まれて排気ダクト５１１から外部に排気される。このようにして、脱衣室Ｂの暖房と換気とを同時に行うことで、脱衣室Ｂの乾燥が行われる。
【０００５】
なお、この浴室暖房装置による換気運転は、浴室Ａと脱衣室Ｂの２室同時に行われる。すなわち、換気ファン５１２を作動させることにより、浴室Ａ内の空気が浴室循環通路Ｌ１から換気用通路Ｒを経て外部に排気されると共に、上記換気ファン５１２の作動による通風力（負圧）により上記シャッター部材５１３が開放され、脱衣室Ｂ内の空気が脱衣室循環通路Ｌ２から換気用通路Ｒを経て外部に排気される。
【特許文献１】特開平９−２５７２６１号公報
【特許文献２】特開平９−２６４５５３号公報
【特許文献３】特開２００２−８１６８０号公報
【発明の開示】
【発明が解決しようとする課題】
【０００６】
しかしながら、上記浴室暖房装置における脱衣室Ｂの乾燥運転は、本来の乾燥機能を十分に発揮させることができなかった。すなわち、脱衣室Ｂの乾燥運転時は、換気ファン５１２と脱衣室用循環ファン５０５とが同時に作動されるため、上記負圧式のシャッター部材５１３の開放状態が不安定となる。そのため、シャッター部材５１３の開放が大きくなり過ぎると、脱衣室Ｂ内の空気がほとんど換気用通路Ｒ側に吸込まれてしまい、脱衣室循環通路Ｌ２において脱衣室用熱交換器５１０を通過させて脱衣室Ｂ内に温風を十分に循環通風させることができない。この場合は、脱衣室Ｂの換気運転と変わらなくなる。また、シャッター部材５１３の開放が小さ過ぎると、脱衣室Ｂ内の空気が換気用通路Ｒ側にあまり吸込まれなくなり、そのほとんどが脱衣室循環通路Ｌ２において脱衣室用熱交換器５１０を通過させて脱衣室Ｂ内に温風として循環通風される。この場合は、脱衣室Ｂの暖房運転と変わらなくなる。
本発明は、上記事情に鑑みてなされ、多室暖房機能を備えた浴室暖房装置において、浴室以外の他室の乾燥運転を乾燥機能を低下させることなく浴室とは独立して行えるものを実現することを課題とする。
【課題を解決するための手段】
【０００７】
（１）請求項１に係る発明の浴室暖房装置は、
ケーシング内に浴室内の空気を循環させるための浴室用循環ファンおよび該空気を加熱するための浴室用熱交換器を収納する暖房ユニットと、
浴室や浴室以外の他室と連通可能とするケーシング内に浴室や他室の空気を外部に排気させるための換気ファンを収納する換気ユニットと、
上記暖房ユニットおよび上記換気ユニットの動作制御を行う制御手段とを備え、
上記換気ユニットのケーシング内に仕切壁を設けて上記換気ファンを収納した換気ファン収納空間と区画し、且つ他室と連通する他室連通空間を設け、
上記他室連通空間内に他室内の空気を循環させるための他室用循環ファンおよび該空気を加熱するための他室用熱交換器を収納し、
上記仕切壁に換気ファン収納空間と他室連通空間とを連通させる換気用連通口を設けると共に、この換気用連通口を開閉させる開閉機構を設け、
上記制御手段は、他室乾燥を行う場合は、開閉機構の開閉を間欠動作させる制御構成としたことを特徴とするものである。
これにより、他室乾燥を行う場合は、開閉機構の閉状態のときは他室内の空気が外部に排気されず、他室用熱交換器を通り温風となって他室に吹き出される。よって、この間に他室内に十分な温風を送り込むことができる。
【０００８】
そして、開閉機構の開状態のときは他室内の空気が外部に排気される。よって、この間に他室内の湿気が外部に十分に排気される。
従って、他室乾燥を行う場合は、他室に十分な温風が吹き込まれる一方、他室の湿気が十分に排気される。
【０００９】
（２）請求項２に係る発明の浴室暖房装置は、上記浴室暖房装置（請求項１）において、
上記開閉機構を開状態とする開時間は、上記開閉機構を閉状態とする閉時間よりも短く設定したことを特徴とするものである。
これにより、他室乾燥を行う場合、他室の湿気を排出させるため開閉機構を開状態とし他室の空気を排気する間は、他室内の暖まった空気をも同時に排気されて他室内の室温上昇度合を低下させ得るが、上記開閉機構の開時間を閉時間よりも短く設定することで、他室内の室温上昇度合を大きく低下させることがない。従って、他室内の室温上昇が確実に行われるため乾燥機能を低下させることなく効率よく他室の乾燥運転を行うことができる。
【００１０】
（３）請求項３に係る発明の浴室暖房装置は、上記浴室暖房装置（請求項１または２）において、
上記開閉機構を開状態とする開時間を、浴室の換気運転や乾燥運転が行われているとき、または上記他室以外の他室の換気運転が行われているときは、これらの運転が行われていないときよりも長く設定したことを特徴とするものである。
これにより、他室の乾燥運転中に、浴室の換気運転や乾燥運転、あるいは上記他室以外の他室の換気運転が並行して行われると、乾燥運転中の他室の空気の排気能力が低下され得るが、この場合に上記開閉機構を開状態とする開時間を長く設定することで、他室の湿気の排気能力を低下させることがない。従って、乾燥機能を低下させることなく効率よく他室の乾燥運転を行うことができる。
【００１１】
（４）請求項４に係る発明の浴室暖房装置は、上記浴室暖房装置（請求項１ないし３）において、
他室乾燥を行う場合、上記開閉機構が閉状態のときは他室用循環ファンの回転数を他室暖房運転時と同様にし、上記開閉機構の開状態のときは他室用循環ファンの回転数を他室暖房時よりも高くしたことを特徴とするものである。
これにより、上記開閉機構が開状態のときに他室連通空間側から換気ファン収納空間側に空気が移行されるので、他室内の暖まった空気が排気されて他室内の室温上昇を抑制させるが、上記開閉機構が開状態となったときは他室用循環ファンの回転数を高くすることにより、他室用熱交換器を通る空気量が増え、他室内の室温上昇が確実に行われる。従って、乾燥機能を低下させることなく効率よく他室の乾燥運転を行うことができる。
しかも、他室用循環ファンの回転数は、上記開閉機構が閉状態のときは暖房運転時と同様にするので、他室用循環ファンの高速回転に伴う騒音や電力消費等を必要以上に生じさせることがない。
【００１２】
（５）また、請求項５に係る発明の浴室暖房装置は、
ケーシング内に浴室内の空気を循環させるための浴室用循環ファンおよび該空気を加熱するための浴室用熱交換器を収納する暖房ユニットと、
浴室や浴室以外の他室と連通可能とするケーシング内に浴室や他室の空気を外部に排気させるための換気ファンを収納する換気ユニットと、
上記暖房ユニットおよび上記換気ユニットの動作制御を行う制御手段とを備え、
上記換気ユニットのケーシング内に仕切壁を設けて上記換気ファンを収納した換気ファン収納空間と区画し、且つ他室と連通する他室連通空間を設け、
上記他室連通空間内に他室内の空気を循環させるための他室用循環ファンおよび該空気を加熱するための他室用熱交換器を収納し、
上記仕切壁に換気ファン収納空間と他室連通空間とを連通させる換気用連通口を設けると共に、この換気用連通口を開閉させる開閉機構を設け、
上記制御手段は、他室乾燥を行う場合は、開閉機構を開状態としその開度を一定に保持させる制御構成としたことを特徴とするものである。
これにより、他室乾燥を行う場合、開状態とする開閉機構の開度が換気ファンや他室用循環ファンの作動によって変動されずに一定に保つことができる。従って、他室乾燥を行う場合に、他室内の空気のほとんどが、換気ファン収納空間側に移行されて排気されてしまったり、あるいは排気されずに他室用熱交換器を通って他室内に循環通風されることもなく、他室に十分な温風が吹き込まれる一方、他室の湿気が十分に排気されて、効率のよい乾燥機能が確保される。
【００１３】
（６）請求項６に係る発明の浴室暖房装置は、上記浴室暖房装置（請求項５）において、
上記開閉機構を開状態とする開度を、浴室の換気運転や乾燥運転が行われているとき、または上記他室以外の他室の換気運転が行われているときは、これらの運転が行われていないときよりも大きく設定したことを特徴とするものである。
これにより、他室の乾燥運転中に、浴室の換気運転や乾燥運転、あるいは上記他室以外の他室の換気運転が並行して行われると、乾燥運転中の他室の空気の排気能力が低下され得るが、この場合に上記開閉機構を開状態とする開度を大きく設定することで、他室の湿気の排気能力を低下させることがない。従って、乾燥機能を低下させることなく効率よく他室の乾燥運転を行うことができる。
【００１４】
（７）請求項７に係る発明の浴室暖房装置は、上記浴室暖房装置（請求項１，２，３，５，６）において、
他室乾燥を行う場合は、他室用循環ファンの回転数を他室暖房運転時よりも高くしたことを特徴とするものである。
これにより、他室の乾燥運転を行う場合は、上記開閉機構が開状態のときに他室連通空間側から換気ファン収納空間側に空気が移行されるので、他室内の暖まった空気が排気されて他室内の室温上昇を抑制させるが、他室用循環ファンの回転数を高くすることにより、他室用熱交換器を通る空気量が増え、他室内の室温上昇が確実に行われる。従って、乾燥機能を低下させることなく効率よく他室の乾燥運転を行うことができる。
【発明の効果】
【００１５】
以上のように、本発明によれば、他室乾燥を行う場合は、他室に十分な温風が吹き込まれる一方、他室の湿気が十分に排気されるようにできるので、浴室とは独立して他室の乾燥運転をその乾燥能力を低下させることなく行うことができる。
【発明を実施するための最良の形態】
【００１６】
以下に、本発明の実施の形態について図面を参照しながら説明する。
〔実施の形態１（請求項１〜３に対応）〕
実施の形態１による浴室暖房装置は、浴室ＢＲとは独立して脱衣室ＤＲ（他室）の暖房運転と乾燥運転を行えるようにしたものである。
図１に示すように、この浴室暖房装置は、暖房ユニット１とこれに並設された換気ユニット２とを備えており、浴室ＢＲの天井裏に設置されている。この浴室暖房装置は、屋外等に設置したガス給湯器や電気温水器等からなる外部熱源機３から導出された温水循環配管３１が接続されている。また、この浴室暖房装置は、外壁等から導出されて外界と連通した排気ダクト４、トイレＴＲの天井裏から導出されてトイレＴＲと連通したトイレ用吸気ダクト５、および脱衣室ＤＲの天井裏から導出されて脱衣室ＤＲと連通した脱衣室用吸気ダクト６と脱衣室用吹出ダクト７が接続されている。また、この浴室暖房装置には、暖房ユニット１および換気ユニット２の動作制御を行う制御盤８（制御手段）が換気ユニット２の外側面に取り付けられている。そして、脱衣室ＤＲの内壁面には、上記制御盤８に対して浴室ＢＲと脱衣室ＤＲとにおける運転操作信号を送信するリモコン８１が取り付けられ、また、トイレＴＲの入口の外装面には、上記制御盤８に対してトイレＴＲにおける運転操作信号を送信するトイレ用スイッチＳＷ８２が取り付けられている。
【００１７】
図２に示すように、暖房ユニット１は、浴室ＢＲに連通する吸込み口と吹出し口（図示せず）を底部に設けたケーシング１０を有し、このケーシング１０内に浴室用熱交換器１１と浴室用循環ファン１２とが収納されている。上記浴室用熱交換器１１には、外部熱源機３からの温水循環配管３１が浴室側熱動弁１３を介在させて接続されており、この浴室側熱動弁１３の開弁によって外部熱源機３から約８０℃の温水（熱媒体）が循環供給される。上記ケーシング１０内部は、上記浴室用循環ファン１２の作動によって浴室ＢＲ内の空気を途中の浴室用熱交換器１１を通して吸込み口側から吹出し口側に流通させる浴室循環通路Ｌ１が形成される。なお、吹出し口には、ステッピングモータＭ１により可動されるルーバ１４が設けられており、このルーバ１４によって暖房ユニット１から浴室ＢＲ内に吹出される空気の送風方向が変更可能にされる。また、上記ケーシング１０は、換気ユニット２の接続側面に上記吸込み口と連通するケーシング１０内を換気ユニット２に連通させる連通口１５が形成されており、また、この連通口１５にはステッピングモータＭ２に接続された浴室用ダンパ１６が設けられている。この浴室用ダンパ１６は、ステッピングモータＭ２の駆動により上記連通口１５の開閉制御がなされる。
【００１８】
図２に示すように、換気ユニット２は、暖房ユニット１のケーシング１０に並設されるケーシング２０を有し、このケーシング２０内に換気ファン２１が収納されている。上記ケーシング２０内部は、仕切壁２２を設けて上記換気ファン２１の収納空間Ａ１と区画された脱衣室連通空間Ａ２が設けられている。この脱衣室連通空間Ａ２内には、脱衣室用熱交換器２３と脱衣室用循環ファン２４とが収納されている。脱衣室用熱交換器２３には、外部熱源機３からの温水循環配管３１が脱衣室側熱動弁２５を介在させて接続されており、この脱衣室側熱動弁２５の開弁によって外部熱源機３から約８０℃の温水（熱媒体）が循環供給される。なお、上記浴室用熱交換器１１と上記脱衣室用熱交換器２３とは、上記外部熱源機３との間で温水循環配管３１が並列接続されている。
【００１９】
また、上記ケーシング２０は、暖房ユニット１の接続側面に上記換気ファン収納空間Ａ１側と連通するように浴室用接続口２６が形成されている。この浴室用接続口２６は、上記暖房ユニット１のケーシング１０の連通口１５と接続されており、従って、上記換気ファン収納空間Ａ１は、暖房ユニット１を通して浴室ＢＲと連通されている。
【００２０】
また、上記ケーシング２０の他の側面には、トイレＴＲの天井裏から導出されたトイレ用吸気ダクト５が接続されるトイレ用接続口５０と、排気ダクト４が接続される排気用接続口４０と、脱衣室用吸気ダクト６が接続される脱衣室吸気用接続口６０と、脱衣室用吹出ダクト７が接続される脱衣室吹出用接続口７０とが形成されている。トイレ用接続口５０と排気用接続口４０とは上記換気ファン収納空間Ａ１の配置側に設けられ、脱衣室吸気用接続口６０と脱衣室吹出用接続口７０とは上記脱衣室連通空間Ａ２の配置側に設けられている。従って、上記換気ファン収納空間Ａ１は、排気ダクト４を通して外界と連通されると共に、トイレ用吸気ダクト５を通してトイレＴＲと連通されている。また、上記脱衣室連通空間Ａ２は、脱衣室用吸気ダクト６および脱衣室用吹出ダクト７を通して脱衣室ＤＲと連通されている。従って、脱衣室連通空間Ａ２は、脱衣室用循環ファン２４の作動によって脱衣室ＤＲの空気を途中の脱衣室用熱交換器２３を通して脱衣室用吸気ダクト６側から脱衣室用吹出ダクト７側に流通させる脱衣室循環通路Ｌ２が形成される。これにより、脱衣室用熱交換器２３に温水を循環供給すれば、脱衣室ＤＲには温風が吹き込まれて暖房が行われる。
【００２１】
また、ケーシング２０内の仕切壁２２には、脱衣室循環通路Ｌ２の上流位置に上記脱衣室循環通路Ｌ２を上記換気ファン収納空間Ａ１に連通させる換気用連通口２７が形成されており、この換気用連通口２７にはステッピングモータＭ３に接続された脱衣室用ダンパ２８（特許請求の範囲に記載の「開閉機構」に相当）が設けられている。この脱衣室用ダンパ２８は、ステッピングモータＭ３の駆動により上記換気用連通口２７の開閉および開度調整自在に開度制御がなされる。
【００２２】
また、トイレ用接続口５０にはステッピングモータＭ４に接続されたトイレ用ダンパ２９が設けられており、このステッピングモータＭ４の駆動により上記トイレ用接続口５０の開閉制御がなされる。
【００２３】
図３に示すように、リモコン８１は、一つのリモコン本体８１０に浴室用と脱衣室用との操作部８１１，８１２を区分けしそれぞれに運転指示等のためのスイッチが設けられている。すなわち、浴室用操作部８１１と脱衣室用操作部８１２とは、それぞれ、暖房スイッチＳＷ１，ＳＷ１０、乾燥スイッチＳＷ２，ＳＷ２０、涼風スイッチＳＷ３，ＳＷ３０、換気スイッチＳＷ４，ＳＷ４０、停止スイッチＳＷ５，ＳＷ５０、運転時間を設定するタイマ設定ボタンＳＷ６，ＳＷ６０、運転時間を表示するタイマ表示部ＤＰ１，ＤＰ１０が設けられている。そして、このリモコン８１は、上記各スイッチＳＷ１〜４，ＳＷ１０〜４０が押されると、それに応じた運転時間がタイマ表示部ＤＰ１，ＤＰ１０に表示され、そして、この際にタイマ設定ボタンＳＷ６，ＳＷ６０を操作すれば運転時間の変更が行える。なお、上記タイマ表示部ＤＰ１，ＤＰ１０では、運転開始の時点からカウントダウン式に残りの運転時間が表示されて行く。また、上記各スイッチＳＷ１〜４，ＳＷ１０〜４０の少し上には、そのスイッチＳＷ１〜４，ＳＷ１０〜４０に応じた運転中であることを示す運転ランプＲ１〜４，Ｒ１０〜４０が設けられている。
【００２４】
また、トイレ用スイッチＳＷ８２は、運転ランプ付きスイッチとなっており（図１）、このトイレ用スイッチＳＷ８２のオンによってトイレＴＲの換気運転が実行される。
制御盤８は、上記リモコン８１や上記トイレ用スイッチＳＷ８２からの操作信号が入力される。そして、制御盤８は、これらリモコン８１やトイレ用スイッチＳＷ８２でのスイッチ操作に応じて暖房ユニット１、換気ユニット２、外部熱源機３等の運転制御を行う。
【００２５】
＜トイレに対する運転（換気のみ）＞
トイレ用スイッチＳＷ８２が「入」側にされると、換気ユニット２においてトイレ用ダンパ２９を開かせると共に換気ファン２１を作動させる。これにより、トイレＴＲの空気が換気ファン収納空間Ａ１に吸込まれると共に排気ダクト４を通して外界に排気され、トイレＴＲの換気が行われる。この際、浴室ＢＲまたは脱衣室ＤＲの乾燥運転や換気運転が行われない限り、浴室用ダンパ１６および脱衣室用ダンパ２８は、トイレＴＲの換気効率を上げるため閉じられる。なお、トイレ用スイッチＳＷ８２が「切」側にされると、このトイレ換気運転が終了される。
【００２６】
＜浴室に対する運転＞
浴室ＢＲに対する運転は、リモコン８１の浴室用の操作部８１１からのスイッチ操作により行われる。なお、以下の運転は、タイマ設定ボタンＳＷ６で設定した運転時間が終了するまで実行されるが、途中で終了させたい場合は停止スイッチＳＷ５を押すことで、運転が終了される。
【００２７】
（暖房）
浴室用の暖房スイッチＳＷ１がオンされると、外部熱源機３に給湯指令し、暖房ユニット１において浴室側熱動弁１３を開弁させて浴室用熱交換器１１に温水を供給すると共に浴室用循環ファン１２を作動させる。これにより、浴室ＢＲの空気が暖房ユニット１のケーシング１０内（浴室循環通路Ｌ１）に吸込まれて加熱されると共に浴室ＢＲ内に温風が循環通風され、浴室暖房が行われる。この際、浴室用ダンパ１６は、浴室ＢＲの暖房効率を上げるため閉じられる。
【００２８】
（乾燥）
浴室用の乾燥スイッチＳＷ２がオンされると、浴室暖房時と同様に浴室用熱交換器１１への温水供給と浴室用循環ファン１２の作動とを行わせ、更に、浴室用ダンパ１６を開かせると共に換気ユニット２において換気ファン２１を作動させる。これにより、浴室ＢＲ内に温風が循環通風されると共に浴室ＢＲ内の湿気が連通口１５を通過して換気ファン収納空間Ａ１に引き込まれて排気ダクト４から外界に排気され、浴室乾燥が行われる。この際、トイレＴＲまたは脱衣室ＤＲの換気運転、脱衣室ＤＲの乾燥運転が行われない限り、トイレ用ダンパ２９および脱衣室用ダンパ２８は、浴室ＢＲの乾燥効率を上げるため閉じられる。
【００２９】
（涼風）
浴室用の涼風スイッチＳＷ３がオンされると、暖房ユニット１において浴室用循環ファン１２を作動させる。なお、浴室側熱動弁１３は閉弁された状態に保持される。これにより、浴室ＢＲの空気が暖房ユニット１のケーシング１０内（浴室循環通路Ｌ１）に吸込まれると共に浴室ＢＲ内に空気が循環通風され、浴室涼風が行われる。
【００３０】
（換気）
浴室用の換気スイッチＳＷ４がオンされると、暖房ユニット１において浴室用ダンパ１６を開かせると共に換気ユニット２において換気ファン２１を作動させる。これにより、浴室ＢＲ内の空気が連通口１５を通過して換気ファン収納空間Ａ１に引き込まれて排気ダクト４から外界に排気され、浴室換気が行われる。この際、トイレＴＲまたは脱衣室ＤＲの換気運転、脱衣室ＤＲの乾燥運転が行われない限り、トイレ用ダンパ２９および脱衣室用ダンパ２８は、浴室ＢＲの換気効率を上げるため閉じられている。
【００３１】
＜脱衣室に対する運転＞
脱衣室ＤＲに対する運転は、リモコン８１の脱衣室用の操作部８１２からのスイッチ操作により行われる。なお、以下の運転は、タイマ設定ボタンＳＷ６０で設定した運転時間が終了するまで実行されるが、途中で終了させたい場合は停止スイッチＳＷ５０を押すことで、運転が終了される。
【００３２】
（暖房）
脱衣室用の暖房スイッチＳＷ１０がオンされると、外部熱源機３に給湯指令し、換気ユニット２において脱衣室側熱動弁２５を開弁させて脱衣室用熱交換器２３に温水を供給すると共に脱衣室用循環ファン２４を作動させる。これにより、脱衣室ＤＲの空気が換気ユニット２の脱衣室連通空間Ａ２内に吸込まれて加熱されると共に脱衣室ＤＲ内に温風が循環通風され、脱衣室暖房が行われる。この際、脱衣室用ダンパ２８は、脱衣室ＤＲの暖房効率を上げるため閉じられる。
【００３３】
（涼風）
脱衣室用の涼風スイッチＳＷ３０がオンされると、換気ユニット２において脱衣室用循環ファン２４を作動させる。なお、脱衣室側熱動弁２５は閉弁された状態に保持される。これにより、脱衣室ＤＲの空気が脱衣室連通空間Ａ２に吸込まれると共に脱衣室ＤＲ内に空気が循環通風され、脱衣室涼風が行われる。
【００３４】
（換気）
脱衣室用の換気スイッチＳＷ４０がオンされると、換気ユニット２において脱衣室用ダンパ２８を開かせると共に換気ファン２１を作動させる。これにより、脱衣室ＤＲ内の空気が換気用連通口２７を通過して換気ファン収納空間Ａ１に引き込まれて排気ダクト４から外界に排気され、脱衣室換気が行われる。この際、トイレＴＲまたは浴室ＢＲの換気運転、浴室ＢＲの乾燥運転が行われない限り、トイレ用ダンパ２９および浴室用ダンパ１６は、脱衣室ＤＲの換気効率を上げるため閉じられる。
【００３５】
（乾燥）
脱衣室用の乾燥スイッチＳＷ２０がオンされると、脱衣室暖房時と同様に脱衣室用熱交換器２３への温水供給と脱衣室用循環ファン２４の作動とを行わせ、更に、脱衣室用ダンパ２８を開度制御させて駆動すると共に換気ファン２１を作動させる。これにより、脱衣室ＤＲ内に温風が循環通風されると共に脱衣室ＤＲ内の湿気が換気用連通口２７を通過して換気ファン収納空間Ａ１に引き込まれて排気ダクト４から外界に排気され、脱衣室乾燥が行われる。
【００３６】
この際、上記脱衣室用ダンパ２８の開度制御は、脱衣室ＤＲに十分な温風が吹き込まれると共に、脱衣室ＤＲの湿気が十分に排気されるように、次のように制御される。
浴室ＢＲの「換気」や「乾燥」が実行されておらず（浴室用ダンパ１６が閉状態）、かつトイレＴＲの「換気」が実行されていない（トイレ用ダンパ２９が閉状態）場合は、脱衣室用ダンパ２８を開状態にする開時間を、例えば、３分間に設定し、脱衣室用ダンパ２８を閉状態にする閉時間を、例えば、６分間に設定して、この脱衣室用ダンパ２８を開閉動作させる間欠動作制御が行われる。なお、脱衣室用ダンパ２８の開時間をその閉時間よりも短くするのは、脱衣室用ダンパ２８の開状態に伴う脱衣室ＤＲ内での温度上昇度合の低下を抑え、脱衣室ＤＲ内の室温上昇が確実に行われて乾燥能力の低下を防止するためである。また、この脱衣室用ダンパ２８の開時間が閉時間よりも短く設定されることを条件に、上記開時間は、例えば、２〜５分間の範囲で決定でき、上記閉時間は、例えば、５〜１０分間の範囲で決定できる。
【００３７】
一方、浴室ＢＲの「換気」や「乾燥」が実行されているか（浴室用ダンパ１６が開状態）、トイレＴＲの「換気」が実行されている（トイレ用ダンパ２９が開状態）場合は、脱衣室用ダンパ２８を開状態にする開時間を、上記の場合の開時間よりも、例えば、２分間延長した５分間に設定し、その他は上記の場合と同様にして、脱衣室用ダンパ２８を開閉動作させる間欠動作制御が行われる。これは、換気ファン２１による吸気量が略一定であることから、浴室用ダンパ１６またはトイレ用ダンパ２９が開状態にされることで、脱衣室連通空間Ａ２から換気用連通口２７を通って換気ファン収納空間Ａ１に送り込まれる空気量が減少するので、脱衣室用ダンパ２８の開時間を長くすることによって脱衣室ＤＲの湿気が十分に排気されるようにするためである。また、上記脱衣室用ダンパ２８の開時間が閉時間よりも短く設定されることを条件に、上記の開時間の延長時間は、例えば、１〜５分間の範囲で決定できる。
【００３８】
なお、上記「脱衣室用ダンパ２８の閉状態」には、全閉状態のほか、開度が全開の半分未満に絞られた開度小の状態も含み、また、上記「脱衣室用ダンパ２８の開状態」には、全開状態のほか、上記閉状態のときよりも開度大の状態を含む。よって、上記脱衣室用ダンパ２８の開閉動作には、「全開⇔全閉」、「全開⇔開度小」、「開度大⇔全閉」、「開度大⇔開度小」のいずれの状態をも含む。
【００３９】
また、脱衣室ＤＲの乾燥運転の実行中に浴室ＢＲの「換気」や「乾燥」、あるいはトイレＴＲの「換気」が行われた場合は、浴室ＢＲの「換気」や「乾燥」、トイレＴＲの「換気」が実行された時から、脱衣室用ダンパ２８を開状態にする開時間を上記所定時間延長した脱衣室用ダンパ２８の間欠動作制御が行われる。
【００４０】
以上のように、上記実施の形態１によれば、上記制御盤８によって脱衣室乾燥を行うときは脱衣室用ダンパ２８の開閉動作を間欠動作制御するようにしたので、脱衣室用ダンパ２８の閉状態のときは脱衣室ＤＲ内の空気が外部に排気されず、脱衣室用熱交換器２３を通り温風となって脱衣室ＤＲに循環通風される。よって、この間に脱衣室ＤＲ内に十分な温風を送り込むことができる。そして、脱衣室用ダンパ２８の開状態のときは脱衣室ＤＲ内の空気が外部に排気され、よって、この間に脱衣室ＤＲ内の湿気が外部に十分に排気される。従って、脱衣室乾燥を行うときは、脱衣室ＤＲに十分な温風が吹き込まれる一方、脱衣室ＤＲの湿気が十分に排気されるので、浴室ＢＲとは独立して脱衣室ＤＲの乾燥運転をその乾燥能力を低下させることなく行うことができる。
【００４１】
また、このものは、浴室ＢＲと連通する空間（浴室循環通路Ｌ１）、脱衣室ＤＲと連通する空間（脱衣室連通空間Ａ２）、トイレＴＲおよび外界と連通する空間（換気ファン収納空間Ａ１）をそれぞれ独立させ、トイレＴＲと換気ファン収納空間Ａ１との間に設けたトイレ用ダンパ２９、浴室循環通路Ｌ１と換気ファン収納空間Ａ１との間に設けた浴室用ダンパ１６、脱衣室連通空間Ａ２と換気ファン収納空間Ａ１との間に設けた脱衣室用ダンパ２８をそれぞれ各運転モードに応じて開閉制御するようにしたので、上記トイレＴＲに対する運転、上記浴室ＢＲに対する運転、上記脱衣室ＤＲに対する運転をそれぞれ独立して実行することができ、また、これらの各運転を同時に並行して実行することができる。
【００４２】
＜実施の形態１の変形例＞
（１）上記脱衣室乾燥の運転の際は、上記脱衣室用ダンパ２８の間欠動作による開閉制御と共に、脱衣室用循環ファン２４の回転数を脱衣室暖房の運転時よりも高くする（請求項７に対応）。
これにより、開閉が間欠動作されている脱衣室用ダンパ２８が開状態となったとき脱衣室連通空間Ａ２側から換気ファン収納空間Ａ１側に空気が移行されるので、脱衣室ＤＲ内の暖まった空気が排気されて脱衣室ＤＲ内の室温上昇を抑制させ得るが、脱衣室用循環ファン２４の回転数を高くすることにより、脱衣室用熱交換器２３を通る空気量が増え、脱衣室ＤＲ内の室温上昇が確実に行われる。従って、乾燥機能を低下させることなく効率よく脱衣室ＤＲの乾燥運転を行うことができる。
【００４３】
（２）上記脱衣室乾燥の運転の際、上記脱衣室用ダンパ２８の間欠動作による開閉制御と共に、脱衣室用ダンパ２８が閉状態となるときは、脱衣室用循環ファン２４の回転数を脱衣室暖房の運転時と同様にするが、脱衣室用ダンパ２８が開状態となるときは、脱衣室用循環ファン２４の回転数を脱衣室暖房の運転時よりも高くする（請求項４に対応）。
【００４４】
これにより、開閉が間欠動作されている脱衣室用ダンパ２８が開状態となったとき脱衣連通空間Ａ２側から換気ファン収納空間Ａ１側に空気が移行されるので、脱衣室ＤＲ内の暖まった空気が排気されて脱衣室ＤＲ内の室温上昇を抑制させ得るが、上記脱衣室用ダンパ２８が開状態となったときは脱衣室用循環ファン２４の回転数を高くすることにより、脱衣室用熱交換器２３を通る空気量が増え、脱衣室ＤＲ内の室温上昇が確実に行われる。従って、乾燥機能を低下させることなく効率よく脱衣室ＤＲの乾燥運転を行うことができる。
【００４５】
しかも、脱衣室用循環ファン２４の回転数は、脱衣室用ダンパ２８の閉状態のときは脱衣室暖房時と同様にするので、上記（１）の場合よりも、脱衣室用循環ファン２４の高速回転に伴う騒音や電力消費等を抑えることができる。
【００４６】
〔実施の形態２（請求項５に対応）〕
上記実施の形態１では、脱衣室乾燥を行う場合、制御盤８（制御手段）によって脱衣室用ダンパ２８を開閉させる間欠動作制御を行わせるが、この実施の形態２では、制御盤８（制御手段）は、脱衣室乾燥を行う場合、上記脱衣室用ダンパ２８を開状態としその開度を一定に保持させる制御を行うようにしたものである。そして、この脱衣室乾燥のときの開状態とする脱衣室用ダンパ２８の開度は、脱衣室ＤＲ内に十分な温風が吹き込まれる一方、脱衣室ＤＲ内の湿気が十分に排気される最適な位置に設定される。従って、この脱衣室用ダンパ２８の開度は、脱衣室ＤＲの容積、脱衣室用熱交換器２３や脱衣室用循環ファン２４の能力、換気ファン２１の能力等により適宜決定される。なお、その他の構成は、上記実施の形態１のものと同様である。
【００４７】
この実施の形態２のものによれば、脱衣室乾燥を行う場合、開状態とする脱衣室用ダンパ２８の開度が換気ファン２１や脱衣室用循環ファン２４の作動によって変動されずに一定に保つことができる。従って、脱衣室乾燥を行う場合に、脱衣室ＤＲ内の空気のほとんどが、換気ファン収納空間Ａ１側に移行されて排気されてしまったり、あるいは排気されずに脱衣室用熱交換器２３を通って脱衣室ＤＲ内に循環通風されることもなく、脱衣室ＤＲに十分な温風が吹き込まれる一方、脱衣室ＤＲの湿気が十分に排気される。よって、このものでも、浴室ＢＲとは独立して脱衣室ＤＲの乾燥運転をその乾燥能力を低下させることなく行うことができる。
【００４８】
＜実施の形態２の変形例＞
（１）上記脱衣室乾燥の運転の際は、上記脱衣室用ダンパ２８を開状態とする開度を、浴室ＢＲの換気運転や乾燥運転が行われているとき、またはトイレＴＲの換気運転が行われているときは、これらの運転が行われていないときよりも大きく設定する（請求項６に対応）。
これにより、脱衣室ＤＲの乾燥運転中に、浴室ＢＲの換気運転や乾燥運転、あるいはトイレＴＲの換気運転が並行して行われると、乾燥運転中の脱衣室ＤＲの空気の排気能力が低下され得るが、この場合に上記脱衣室用ダンパ２８を開状態とする開度を大きく設定することで、脱衣室ＤＲの湿気の排気能力を低下させることがない。従って、乾燥機能を低下させることなく効率よく脱衣室ＤＲの乾燥運転を行うことができる。
【００４９】
（２）上記脱衣室乾燥の運転の際は、上記脱衣室用ダンパ２８を開状態とする開度を一定に保持する開度制御と共に、脱衣室用循環ファン２４の回転数を脱衣室暖房運転時よりも高くする（請求項７に対応）。
これにより、脱衣室ＤＲの乾燥運転を行う場合は、上記脱衣室用ダンパ２８が開状態のときに脱衣室連通空間Ａ２側から換気ファン収納空間Ａ１側に空気が移行されるので、脱衣室ＤＲ内の暖まった空気が排気されて脱衣室ＤＲ内の室温上昇を抑制させ得るが、脱衣室用循環ファン２４の回転数を高くすることにより、脱衣室用熱交換器２３を通る空気量が増え、脱衣室ＤＲ内の室温上昇が確実に行われる。従って、乾燥機能を低下させることなく効率よく脱衣室ＤＲの乾燥運転を行うことができる。
【００５０】
〔その他〕
図４に示すように、リモコン８１’は、乾燥運転について浴室ＢＲと脱衣室ＤＲとを連動とし浴室用操作部８１１’にのみ乾燥スイッチ２’を設け、脱衣室用操作部８１２’には乾燥スイッチを設けないようにする。そして、この浴室用操作部８１１’に設けた乾燥スイッチＳＷ２’がオンされると、制御盤８の指令によって上述した浴室ＢＲと脱衣室ＤＲとの乾燥運転を同時に開始する。浴室ＢＲのみの乾燥運転を行う場合は、上記乾燥スイッチＳＷ２’をオンした後に脱衣室用操作部８１２’の停止スイッチＳＷ５０をオンし、脱衣室ＤＲの乾燥運転を停止させる。また、脱衣室ＤＲのみの乾燥運転を行う場合は、上記乾燥スイッチＳＷ２’をオンした後に浴室用操作部８１１’の停止スイッチＳＷ５をオンし、浴室ＢＲの乾燥運転を停止させる。従って、浴室ＢＲと脱衣室ＤＲとを同時に乾燥運転させる場合は、１操作で行うことができ、また、浴室ＢＲと脱衣室ＤＲとを別々に独立して乾燥運転させることもできる。このリモコン８１’のその他の構成は、上述のリモコン８１（図３）と同様である。
【００５１】
なお、他の運転（暖房、涼風、換気）についても上記同様に浴室ＢＲと脱衣室ＤＲとを連動とし浴室用操作部８１１にのみ設けるようにしてもよい。そして、全ての運転スイッチを浴室ＢＲと脱衣室ＤＲとを連動とし浴室用操作部８１１側にのみ設けるようにすれば、リモコン８１自体をコンパクトに構成することができる。
【図面の簡単な説明】
【００５２】
【図１】本発明の実施の形態１，２による浴室暖房装置の設置状態を示す斜視図である。
【図２】浴室暖房装置の暖房ユニットと換気ユニットの内部構成を示す模式図である。
【図３】リモコンの外観構成を示す平面図である。
【図４】リモコンの他の例の外観構成を示す平面図である。
【図５】従来の浴室暖房装置の内部構成を示す模式図である。
【符号の説明】
【００５３】
１  暖房ユニット、
２  換気ユニット、
３  外部熱源機、
８  制御盤（制御手段）、
１０  ケーシング（暖房ユニット側）、
１１  浴室用熱交換器、
１２  浴室用循環ファン、
２０  ケーシング（換気ユニット側）、
２１  換気ファン、
２２  仕切壁、
２３  脱衣室用熱交換器（他室用熱交換器）、
２４  脱衣室用循環ファン（他室用循環ファン）、
２７  換気用連通口、
２８  脱衣室用ダンパ（開閉機構）、
Ａ２  脱衣室連通空間（他室連通空間）
ＢＲ  浴室
ＤＲ  脱衣室（他室）  
ＴＲ  トイレ（他室）
【図１】
2005090905.tif 000003
【図２】
2005090905.tif 000004
【図３】
2005090905.tif 000005
【図４】
2005090905.tif 000006
【図５】
2005090905.tif 000007